(57)【要約】  第１通信部（１１）は、表示部（１３）に近接指示画面が表示された後、家電機器（２）を特定するための家電機器特定情報を要求する要求情報を家電機器（２）へ送信するとともに、第１通信部（１１）と家電機器（２）とが通信可能な距離に近接された後、少なくとも家電機器特定情報を含む応答情報を家電機器（２）から受信し、表示制御部（１４１）は、第１通信部（１１）によって受信された応答情報に基づいて表示画面を家電機器（２）に固有のメニュー画面に切り替える。
2013035213.tif 000002
【特許請求の範囲】
【請求項１】
電気機器と、
前記電気機器と通信可能に接続される通信装置とを備え、
前記通信装置は、
近距離無線通信を利用して電気機器と通信する第１通信部と、
前記第１通信部と前記電気機器とが通信するために前記第１通信部と前記電気機器とを近接させることをユーザに指示する近接指示画面と、少なくとも前記電気機器に関する情報を閲覧するための項目又は前記電気機器の設定を入力するための項目を含むメニュー画面とを表示する表示部と、
前記表示部に表示する表示画面を前記近接指示画面と前記メニュー画面とのいずれかに切り替える表示制御部とを備え、
前記第１通信部は、前記表示部に前記近接指示画面が表示された後、前記電気機器を特定するための電気機器特定情報を要求する要求情報を前記電気機器へ送信するとともに、前記第１通信部と前記電気機器とが通信可能な距離に近接された後、少なくとも前記電気機器特定情報を含む応答情報を前記電気機器から受信し、
前記表示制御部は、前記第１通信部によって受信された前記応答情報に基づいて前記表示画面を前記電気機器に固有の前記メニュー画面に切り替え、
前記電気機器は、
前記電気機器特定情報を記憶する電気機器特定情報記憶部と、
前記近距離無線通信を利用して前記通信装置と通信する電気機器通信部と、
前記電気機器通信部によって前記通信装置からの前記要求情報が受信された場合、前記電気機器特定情報記憶部から前記電気機器特定情報を読み出し、読み出した前記電気機器特定情報を含む応答情報を前記通信装置へ送信するように前記電気機器通信部を制御する電気機器制御部とを備えることを特徴とする通信システム。
【請求項２】
前記第１通信部は、前記表示部に前記近接指示画面が表示されたことに連動して、前記電気機器へ前記要求情報の送信を開始することを特徴とする請求項１記載の通信システム。
【請求項３】
前記応答情報は、前記電気機器の状態を示す状態情報を含み、
前記メニュー画面情報は、前記状態情報を含み、
前記表示部は、前記電気機器の状態を示す項目を含む前記メニュー画面を表示することを特徴とする請求項１又は２記載の通信システム。
【請求項４】
前記状態情報は、前記電気機器のエラー情報を含むことを特徴とする請求項３記載の通信システム。
【請求項５】
前記通信装置と通信可能に接続されるサーバをさらに備え、
前記通信装置は、
ネットワークを利用してサーバと通信する第２通信部をさらに備え、
前記第２通信部は、前記第１通信部によって受信された前記応答情報を前記サーバへ送信するとともに、前記電気機器に固有の前記メニュー画面を表示させるためのメニュー画面情報を前記サーバから受信し、
前記表示制御部は、前記第２通信部によって受信された前記メニュー画面情報に基づいて前記表示画面を前記メニュー画面に切り替え、
前記サーバは、
ネットワークを利用して前記通信装置と通信するサーバ通信部と、
前記サーバ通信部によって前記通信装置からの前記応答情報が受信された場合、前記応答情報に含まれる前記電気機器特定情報によって特定される電気機器に応じた前記メニュー画面情報を作成し、作成した前記メニュー画面情報を前記通信装置へ送信するように前記サーバ通信部を制御するサーバ制御部とを備えることを特徴とする請求項１〜４のいずれかに記載の通信システム。
【請求項６】
前記メニュー画面の表示内容は、前記サーバに前記電気機器が登録されているか否かに応じて異なることを特徴とする請求項５記載の通信システム。
【請求項７】
前記表示部は、前記第２通信部を介して前記サーバと通信中であることを表す通信状況通知画面をさらに表示し、
前記表示制御部は、前記第２通信部によって前記応答情報が前記サーバへ送信されてから前記メニュー画面情報が受信されるまでの間、前記表示画面を前記通信状況通知画面に切り替えることを特徴とする請求項５又は６記載の通信システム。
【請求項８】
前記通信装置は、前記第２通信部によって受信された前記メニュー画面情報を記憶するメニュー画面情報記憶部をさらに備え、
前記表示制御部は、前記メニュー画面情報記憶部に前記メニュー画面情報が記憶されている場合、前記近接指示画面を表示することなく、前記メニュー画面情報記憶部に記憶されている前記メニュー画面情報に基づいて前記表示画面を前記メニュー画面に切り替えることを特徴とする請求項５〜７のいずれかに記載の通信システム。
【請求項９】
近距離無線通信を利用して電気機器と通信する第１通信部と、
前記第１通信部と前記電気機器とが通信するために前記第１通信部と前記電気機器とを近接させることをユーザに指示する近接指示画面と、少なくとも前記電気機器に関する情報を閲覧するための項目又は前記電気機器の設定を入力するための項目を含むメニュー画面とを表示する表示部と、
前記表示部に表示する表示画面を前記近接指示画面と前記メニュー画面とのいずれかに切り替える表示制御部とを備え、
前記第１通信部は、前記表示部に前記近接指示画面が表示された後、前記電気機器を特定するための電気機器特定情報を要求する要求情報を前記電気機器へ送信するとともに、前記第１通信部と前記電気機器とが通信可能な距離に近接された後、少なくとも前記電気機器特定情報を含む応答情報を前記電気機器から受信し、
前記表示制御部は、前記第１通信部によって受信された前記応答情報に基づいて前記表示画面を前記電気機器に固有の前記メニュー画面に切り替えることを特徴とする通信装置。
【請求項１０】
近距離無線通信を利用して電気機器と通信する第１通信部と前記電気機器とが通信するために、前記第１通信部と前記電気機器とを近接させることをユーザに指示する近接指示画面を表示部に表示させる近接指示画面表示ステップと、
前記表示部に前記近接指示画面が表示された後、前記電気機器を特定するための電気機器特定情報を要求する要求情報を前記第１通信部によって前記電気機器へ送信する要求情報送信ステップと、
前記第１通信部と前記電気機器とが通信可能な距離に近接された後、少なくとも前記電気機器特定情報を含む応答情報を前記第１通信部によって前記電気機器から受信する応答情報受信ステップと、
前記応答情報受信ステップにおいて受信された前記応答情報に基づいて、前記表示画面を、少なくとも前記電気機器に関する情報を閲覧するための項目又は前記電気機器の設定を入力するための項目を含む、前記電気機器に固有のメニュー画面に切り替える切り替えステップとを含むことを特徴とする通信方法。
【請求項１１】
近距離無線通信を利用して電気機器と通信する第１通信部を制御する第１通信制御部と、
表示部に表示する表示画面を、前記第１通信部と前記電気機器とが通信するために前記第１通信部と前記電気機器とを近接させることをユーザに指示する近接指示画面と、少なくとも前記電気機器に関する情報を閲覧するための項目又は前記電気機器の設定を入力するための項目を含むメニュー画面とのいずれかに切り替える表示制御部としてコンピュータを機能させ、
前記第１通信制御部は、前記表示部に前記近接指示画面が表示された後、前記電気機器を特定するための電気機器特定情報を要求する要求情報を前記電気機器へ送信するように前記第１通信部を制御するとともに、前記第１通信部と前記電気機器とが通信可能な距離に近接された後、少なくとも前記電気機器特定情報を含む応答情報を前記電気機器から受信するように前記第１通信部を制御し、
前記表示制御部は、前記第１通信部によって受信された前記応答情報に基づいて前記表示画面を前記電気機器に固有の前記メニュー画面に切り替えることを特徴とする通信プログラム。
【請求項１２】
電気機器を特定するための電気機器特定情報を記憶する電気機器特定情報記憶部と、
近距離無線通信を利用して通信装置と通信する電気機器通信部と、
前記通信装置と前記電気機器とが通信可能な距離に近接された後、前記電気機器通信部によって前記通信装置からの前記電気機器特定情報を要求する要求情報が受信された場合、前記電気機器特定情報記憶部から前記電気機器特定情報を読み出し、読み出した前記電気機器特定情報を含む応答情報を前記通信装置へ送信するように前記電気機器通信部を制御する電気機器制御部とを備えることを特徴とする電気機器。
【発明の詳細な説明】
【技術分野】
【０００１】
本発明は、電気機器と通信する通信装置、通信方法及び通信プログラム、電気機器、並びに電気機器と通信装置とを備える通信システムに関するものである。
【背景技術】
【０００２】
近年、携帯電話機が急速に普及してきており、家電機器を制御するためのコントローラとして携帯電話機を利用することが提案されている。【０００３】
例えば、特許文献１では、ＲＯＭなどに記憶されたメインメニュー画面データが読み出され、データ通信モードを開始するための初期画面であるメインメニュー画面が液晶ディスプレイに表示される。そして、メインメニュー画面の項目の中から“リモコン情報”という項目が選択されると、サーバからリモコン情報画面データが受信され、液晶ディスプレイには電気製品の製造業者の名前を一覧的に提示したリモコン情報画面が表示される。操作入力ボタン群と連動するカーソルにより業者名のうち一つが選択されると、携帯電話機とその業者が運営しているリモコンデータ提供サーバとが接続される。接続が確立すると、リモコンデータ提供サーバは、製品一覧画面データを携帯電話機に宛てて送出し、携帯電話機は、製品一覧画面データを受け取ると、電気製品名を製品一覧画面として一覧表示する。利用者は、リモコン仕様データを取得したいと思う電気製品名をこの画面の中から選択する。そして、選択された電気製品のリモコン仕様データが内部の不揮発性メモリに記憶される。【０００４】
このようにして、特許文献１では、複数の製造業者のリモコンデータ提供サーバから所望の電気製品を操作するのに必要なリモコン仕様データを適宜取り寄せて、不揮発性メモリに記憶し、リモートコントローラとして携帯電話機を操作することが可能となる。【０００５】
しかしながら、上記特許文献１の携帯電話機では、携帯電話機をリモートコントローラとして使用する際に、初期設定として操作対象機器を特定する必要があるが、操作対象機器を特定し、操作対象機器に応じたメニュー画面を表示するには、多くの手順（工程）が必要となる。特に、複数の電気機器を操作対象機器として携帯電話機に登録しようとすると、ユーザは非常に多くの入力操作を行う必要があり、操作が煩雑となる。
【先行技術文献】
【特許文献】
【０００６】
【特許文献１】開２００１−２３７９２５号公報
【発明の概要】
【０００７】
本発明は、上記の問題を解決するためになされたもので、煩雑な入力操作を行うことなく、通信装置を介して電気機器に固有のメニュー画面を容易に表示させることができる通信システム、通信装置、通信方法、通信プログラム及び電気機器を提供することを目的とするものである。
【０００８】
本発明の一局面に係る通信システムは、電気機器と、前記電気機器と通信可能に接続される通信装置とを備え、前記通信装置は、近距離無線通信を利用して電気機器と通信する第１通信部と、前記第１通信部と前記電気機器とが通信するために前記第１通信部と前記電気機器とを近接させることをユーザに指示する近接指示画面と、少なくとも前記電気機器に関する情報を閲覧するための項目又は前記電気機器の設定を入力するための項目を含むメニュー画面とを表示する表示部と、前記表示部に表示する表示画面を前記近接指示画面と前記メニュー画面とのいずれかに切り替える表示制御部とを備え、前記第１通信部は、前記表示部に前記近接指示画面が表示された後、前記電気機器を特定するための電気機器特定情報を要求する要求情報を前記電気機器へ送信するとともに、前記第１通信部と前記電気機器とが通信可能な距離に近接された後、少なくとも前記電気機器特定情報を含む応答情報を前記電気機器から受信し、前記表示制御部は、前記第１通信部によって受信された前記応答情報に基づいて前記表示画面を前記電気機器に固有の前記メニュー画面に切り替え、前記電気機器は、前記電気機器特定情報を記憶する電気機器特定情報記憶部と、前記近距離無線通信を利用して前記通信装置と通信する電気機器通信部と、前記電気機器通信部によって前記通信装置からの前記要求情報が受信された場合、前記電気機器特定情報記憶部から前記電気機器特定情報を読み出し、読み出した前記電気機器特定情報を含む応答情報を前記通信装置へ送信するように前記電気機器通信部を制御する電気機器制御部とを備える。
【０００９】
本発明によれば、通信装置と電気機器とを近接させることをユーザに指示する近接指示画面が表示部に表示され、近接指示画面の指示に従ってユーザが通信装置と電気機器とを近接させることにより、通信装置と電気機器との通信が開始され、応答情報に基づいて表示画面が電気機器に固有のメニュー画面に切り替えられるので、煩雑な入力操作を行うことなく、通信装置を介して電気機器に固有のメニュー画面を容易に表示させることができる。
【００１０】
本発明の目的、特徴及び利点は、以下の詳細な説明と添付図面とによって、より明白となる。
【図面の簡単な説明】
【００１１】
【図１】本発明の実施の形態における通信システムの全体構成を示す図である。
【図２】本発明の実施の形態における通信システムの詳細な構成を示す図である。
【図３】本発明の実施の形態における通信システムの動作について説明するための第１のフローチャートである。
【図４】本発明の実施の形態における通信システムの動作について説明するための第２のフローチャートである。
【図５】本発明の実施の形態における通信システムの動作について説明するための第３のフローチャートである。
【図６】本実施の形態における近接指示画面の一例を示す図である。
【図７】本実施の形態における通信状況通知画面の一例を示す図である。
【図８】本実施の形態において、家電機器にエラーがない場合におけるメニュー画面の一例を示す図である。
【図９】本実施の形態において、家電機器にエラーがある場合におけるメニュー画面の一例を示す図である。
【図１０】本実施の形態におけるエラー画面の一例を示す図である。
【発明を実施するための形態】
【００１２】
以下添付図面を参照しながら、本発明の実施の形態について説明する。なお、以下の実施の形態は、本発明を具体化した一例であって、本発明の技術的範囲を限定する性格のものではない。
【００１３】
図１は、本発明の実施の形態における通信システムの全体構成を示す図である。図１に示す通信システムは、携帯機器１と、家電機器２と、サーバ３とを備える。
【００１４】
携帯機器１は、例えば携帯電話機などの通信装置から構成され、ループアンテナ１７を介して近接無線通信を利用して家電機器２と通信するとともに、ネットワーク４を介してサーバ３と通信可能に接続されている。携帯機器１は、家電機器２のＲＦＩＤ（Ｒａｄｉｏ  Ｆｒｅｑｕｅｎｃｙ  ＩＤｅｎｔｉｆｉｃａｔｉｏｎ）又はＮＦＣ（Ｎｅａｒ  Ｆｉｅｌｄ  Ｃｏｍｍｕｎｉｃａｔｉｏｎ）と通信可能なリーダ／ライタを備える機器であればどのような機器であってもよいが、可搬性のある機器がより好ましい。
【００１５】
家電機器２は、例えばテレビ、冷蔵庫、洗濯機及び電子レンジなどから構成され、近接無線通信により携帯機器１と通信可能に接続される。なお、家電機器２は、住設機器、住環境を測定及び検知するセンサなども含めた、家庭内で使用される電化製品であり、パッシブ／アクティブＲＦＩＤ又はＮＦＣによってリーダ／ライタと通信可能な機器であればどのような電気機器であってもよい。家電機器２は、ループアンテナ２４を介して近接無線通信を利用して携帯機器１と通信する。
【００１６】
サーバ３は、公知のサーバコンピュータ等から構成され、ネットワーク４を介して携帯機器１と通信可能に接続されている。サーバ３は、家電機器２を特定するための家電機器特定情報によって特定される家電機器に応じたメニュー画面情報を作成する。ここで、メニュー画面情報は、少なくとも家電機器に関する情報を閲覧するための項目又は家電機器の設定を入力するための項目を含むメニュー画面に関する情報である。また、サーバ３は、携帯機器１を特定するための携帯機器特定情報と、家電機器２を特定するための家電機器特定情報とを携帯機器１から受信し、受信した携帯機器特定情報と家電機器特定情報とを対応付けて記憶する。
【００１７】
図２は、本発明の実施の形態における通信システムの詳細な構成を示す図である。
【００１８】
携帯機器１は、第１通信部１１、第２通信部１２、表示部１３、制御部１４、操作部１５、記憶部１６及びループアンテナ１７を備える。
【００１９】
第１通信部１１は、ループアンテナ１７を介して近距離無線通信を利用して家電機器２と通信する。
【００２０】
ループアンテナ１７は、近接無線通信を行うためのアンテナである。本実施の形態では、近接無線通信として、例えば１３．５６ＭＨｚ帯を用いる高周波数帯域のＲＦＩＤ又はＮＦＣを想定しているが、この周波数帯に限定されることはない。近接無線通信の周波数帯は、９０ＭＨｚ〜１ＧＨｚのＵＨＦ帯であってもよく、２ＧＨｚ帯を越える周波数帯であってもよい。
【００２１】
近接無線通信は、通信距離が短く、通信を行う２つの無線通信機器のループアンテナ同士を接近させる必要がある。無線通信機器のループアンテナが実装されている面には、ループアンテナの位置を表すマークが付されており、ユーザは２つの無線通信機器のマーク同士を接近させて、２つの無線通信機器間で通信を行わせる。携帯電話機に内蔵されるＲＦＩＤはループアンテナの出力を上げることができないため、例えば数ｍｍ単位でのループアンテナ同士の位置合わせが必要であり、互いのループアンテナを正確に接近させる必要がある。
【００２２】
第２通信部１２は、ネットワーク４を利用してサーバと通信する。なお、ネットワーク４は、例えば移動体通信網である。
【００２３】
表示部１３は、第１通信部１１と家電機器２とが通信するために第１通信部１１と家電機器２とを近接させることをユーザに指示する近接指示画面と、少なくとも家電機器２に関する情報を閲覧するための項目又は家電機器２の設定を入力するための項目を含むメニュー画面とを表示する。
【００２４】
制御部１４は、携帯機器１全体を制御し、表示制御部１４１、第１通信制御部１４２及び第２通信制御部１４３を備える。
【００２５】
表示制御部１４１は、表示部１３に表示する表示画面を近接指示画面とメニュー画面とのいずれかに切り替える。第１通信制御部１４２は、第１通信部１１を制御する。第２通信制御部１４３は、第２通信部１２を制御する。
【００２６】
第１通信部１１は、表示部１３に近接指示画面が表示された後、家電機器２を特定するための家電機器特定情報を要求する要求情報を家電機器２へ送信する。また、第１通信部１１は、第１通信部１１と家電機器２とが通信可能な距離に近接された後、少なくとも家電機器特定情報を含む応答情報を家電機器から受信する。また、第１通信部１１は、表示部１３に近接指示画面が表示されたことに連動して、家電機器２へ要求情報の送信を開始する。
【００２７】
第２通信部１２は、第１通信部１１によって受信された応答情報をサーバ３へ送信する。また、第２通信部１２は、家電機器２に固有のメニュー画面を表示させるためのメニュー画面情報をサーバ３から受信する。
【００２８】
表示制御部１４１は、第２通信部１２によって受信されたメニュー画面情報に基づいて表示画面をメニュー画面に切り替える。
【００２９】
操作部１５は、例えばタッチパネル又は操作キーなどで構成され、ユーザによる入力操作を受け付ける。
【００３０】
記憶部１６は、第２通信部１２によって受信されたメニュー画面情報を記憶する。表示制御部１４１は、記憶部１６にメニュー画面情報が記憶されている場合、近接指示画面を表示することなく、記憶部１６に記憶されているメニュー画面情報に基づいて表示画面をメニュー画面に切り替える。
【００３１】
家電機器２は、制御部２１、記憶部２２、通信部２３、ループアンテナ２４及びエラー検知部２５を備える。
【００３２】
制御部２１は、ＣＰＵ（中央演算処理装置）等から構成され、通信部２３の動作を制御するとともに、通信部２３を介して受信した情報等に応じて記憶部２２の動作を制御する。
【００３３】
記憶部２２は、家電機器２を特定するための家電機器特定情報、例えば家電機器２の型番号及びシリアルナンバー等を予め記憶する。なお、家電機器特定情報は、製造時等に予め記憶される。また、記憶部２２には、家電機器２の使用履歴及びエラー情報などの状態情報が記憶される。なお、記憶部２２は、家電機器２をサーバ３のデータベースに登録するために、家電機器２のメーカが特定できる情報、製造日が特定できる情報、及び製造工場が特定できる情報などを含むことが好ましい。また、記憶部２２は、家電機器２の製造メーカ毎に異なるサーバにアクセスするためのサーバ特定情報（例えばＵＲＬ（Ｕｎｉｆｏｒｍ  Ｒｅｓｏｕｒｃｅ  Ｉｄｅｎｔｉｆｉｅｒ））を含むことが好ましい。これにより、携帯機器１からサーバ３へ容易にアクセスすることが可能となる。また、ＵＲＬを家電機器２の記憶部２２に保持することによって、携帯機器１は、どのような機種であっても、家電機器２に固有のサーバへ、アクセスすることが可能となる。
【００３４】
通信部２３は、ループアンテナ２４を介して近接無線通信により双方向で種々の情報を携帯機器１と送信及び受信する。ループアンテナ２４は、近接無線通信を行うためのアンテナである。通信部２３は、携帯機器１によって送信された要求情報を受信する。また、通信部２３は、家電機器特定情報を含む応答情報を携帯機器１へ送信する。
【００３５】
エラー検知部２５は、家電機器２で発生するエラーを検知する。例えば、家電機器２が洗濯機又は冷蔵庫であれば、エラー検知部２５は、扉が一定時間開いたままになっていることを検知する。エラー検知部２５によって検知されたエラー情報は、制御部２１に出力され、制御部２１は、エラー検知部２５によって検知されたエラー情報を記憶部２２に記憶する。
【００３６】
制御部２１は、通信部２３によって携帯機器１からの要求情報が受信された場合、記憶部２２から家電機器特定情報を読み出し、読み出した家電機器特定情報を含む応答情報を携帯機器１へ送信するように通信部２３を制御する。また、制御部２１は、家電機器２の状態を示す状態情報をさらに含めた応答情報を携帯機器１へ送信するように通信部２３を制御してもよい。この場合、携帯機器１の表示部１３は、家電機器２の状態を示す項目を含むメニュー画面を表示する。
【００３７】
サーバ３は、通信部３１、記憶部３２及び制御部３３を備える。
【００３８】
通信部３１は、ネットワーク４を利用して携帯機器１と通信する。
【００３９】
記憶部３２は、携帯機器１に表示されるメニュー画面を家電機器２の製品ごとに記憶する。また、記憶部３２は、データベースを含み、データベースは、携帯機器１を特定するための携帯機器特定情報と、家電機器２を特定するための家電機器特定情報とを対応付けて記憶する。
【００４０】
制御部３３は、ＣＰＵ等から構成され、通信部３１の動作を制御するとともに、通信部３１を介して受信した情報等に応じて記憶部３２の動作を制御する。制御部３３は、通信部３１によって携帯機器１からの応答情報が受信された場合、応答情報に含まれる家電機器特定情報によって特定される家電機器２に応じたメニュー画面情報を作成し、作成したメニュー画面情報を携帯機器１へ送信するように通信部３１を制御する。通信部３１は、携帯機器１によって送信された応答情報を受信する。また、通信部３１は、制御部３３によって作成されたメニュー画面情報を携帯機器１へ送信する。
【００４１】
制御部３３は、応答情報に含まれる家電機器特定情報によって特定される家電機器２に応じたメニュー画面情報を記憶部３２から読み出し、読み出したメニュー画面情報を携帯機器１へ送信するように通信部３１を制御する。なお、応答情報に家電機器２の状態情報が含まれている場合、制御部３３は、状態情報に基づいて家電機器２の状態を示す項目を含むメニュー画面情報を作成する。
【００４２】
また、制御部３３は、通信部３１によって送信された携帯機器特定情報及び家電機器特定情報を対応付けて記憶部３２内のデータベースに登録する。制御部３３は、メニュー画面情報を作成する際に、記憶部３２のデータベースに家電機器２が登録されているか否かを判断し、家電機器２が登録されているか否かに応じて異なる表示内容のメニュー画面情報を作成する。
【００４３】
なお、本実施の形態において、携帯機器１が通信装置の一例に相当し、家電機器２が電気機器の一例に相当し、第１通信部１１が第１通信部の一例に相当し、表示部１３が表示部の一例に相当し、表示制御部１４１が表示制御部の一例に相当し、記憶部２２が電気機器特定情報記憶部の一例に相当し、通信部２３が電気機器通信部の一例に相当し、制御部２１が電気機器制御部の一例に相当し、サーバ３がサーバの一例に相当し、第２通信部１２が第２通信部の一例に相当し、通信部３１がサーバ通信部の一例に相当し、制御部３３がサーバ制御部の一例に相当し、記憶部１６がメニュー画面情報記憶部の一例に相当し、第１通信制御部１４２が第１通信制御部の一例に相当する。
【００４４】
次に、本発明の実施の形態における通信システムの動作について説明する。図３〜図５は、本発明の実施の形態における通信システムの動作について説明するためのフローチャートである。
【００４５】
まず、ステップＳ１において、携帯機器１の制御部１４は、家電機器２を制御するためのメニュー画面を表示部１３に表示するためのアプリケーションを起動する。このとき、操作部１５は、ユーザによる当該アプリケーションの起動指示を受け付ける。制御部１４は、受け付けられた起動指示に基づいてアプリケーションを起動する。
【００４６】
次に、ステップＳ２において、表示制御部１４１は、既にサーバ３に登録されている家電機器の一覧表示する登録機器一覧画面を表示するように表示部１３を制御する。表示部１３は、登録機器一覧画面を表示する。登録機器一覧画面には、既にサーバ３に登録されており、記憶部１６にメニュー画面情報が既に記憶されている家電機器の名称が一覧表示される。なお、登録機器一覧画面は、記憶部１６に記憶されている。
【００４７】
次に、ステップＳ３において、表示制御部１４１は、メニュー画面の表示を所望する家電機器が登録済みであるか否かを判断する。ここで、メニュー画面の表示を所望する家電機器が登録済みであると判断された場合、すなわち、登録機器一覧画面上にメニュー画面の表示を所望する家電機器が存在する場合（ステップＳ３でＹＥＳ）、ステップＳ１６の処理に移行する。なお、登録機器一覧画面上にメニュー画面の表示を所望する家電機器が存在する場合、ユーザは、操作部１５を介して、所望の家電機器を選択する。
【００４８】
一方、メニュー画面の表示を所望する家電機器が登録済みではないと判断された場合、すなわち、登録機器一覧画面上にメニュー画面の表示を所望する家電機器が存在しない場合（ステップＳ３でＮＯ）、ステップＳ４において、表示制御部１４１は、第１通信部１１と家電機器２とが通信するために第１通信部１１と家電機器２とを近接させることをユーザに指示するための近接指示画面を表示するように表示部１３を制御する。表示部１３は、近接指示画面を表示する。
【００４９】
なお、登録機器一覧画面上にメニュー画面の表示を所望する家電機器が存在しない場合、ユーザは、操作部１５を介して、表示画面を登録機器一覧画面から近接指示画面に切り替えるよう指示する。表示制御部１４１は、表示画面を登録機器一覧画面から近接指示画面に切り替える。
【００５０】
また、より具体的には、近接指示画面は、携帯機器１のループアンテナ１７と、家電機器２のループアンテナ２４とを近接させることをユーザに指示するための画面である。また、近接指示画面は、記憶部１６に予め記憶されており、表示制御部１４１は、記憶部１６から近接指示画面を読み出して表示する。
【００５１】
図６は、本実施の形態における近接指示画面の一例を示す図である。
【００５２】
図６に示す近接指示画面Ｇ１では、例えば“対応家電にタッチしてください”というメッセージが表示される。近接指示画面Ｇ１は、携帯機器１を家電機器２に近接させるようにユーザを誘導する画面である。携帯機器１の表示部１３に近接指示画面Ｇ１が表示されると、ユーザは、携帯機器１と家電機器２とが近接無線通信により通信可能な距離になるように、携帯機器１のループアンテナ１７と、家電機器２のループアンテナ２４とを近接させる。
【００５３】
次に、ステップＳ５において、第１通信制御部１４２は、表示部１３に近接指示画面が表示された後、家電機器２を特定するための家電機器特定情報を要求する要求情報を家電機器２へ送信するように第１通信部１１を制御する。第１通信部１１は、表示部１３に近接指示画面が表示された後、要求情報を家電機器２へ送信する。なお、第１通信部１１は、表示部１３に近接指示画面が表示されたことに連動して、家電機器２へ要求情報の送信を開始する。
【００５４】
次に、ステップＳ２１において、家電機器２の通信部２３は、携帯機器１の第１通信部１１によって送信された要求情報を受信する。
【００５５】
次に、ステップＳ２２において、家電機器２の制御部２１は、記憶部２２から家電機器特定情報を読み出す。
【００５６】
次に、ステップＳ２３において、制御部２１は、記憶部２２から家電機器２の状態を示す状態情報を読み出す。
【００５７】
次に、ステップＳ２４において、制御部２１は、家電機器特定情報及び状態情報を含む応答情報を携帯機器１へ送信するよう通信部２３を制御する。通信部２３は、家電機器特定情報及び状態情報を含む応答情報を携帯機器１へ送信する。なお、要求情報には、携帯機器１を特定するためのアドレス情報が含まれており、通信部２３は、要求情報に含まれるアドレス情報に基づいて応答情報を携帯機器１へ送信する。
【００５８】
次に、ステップＳ６において、携帯機器１の第１通信部１１は、家電機器２の通信部２３によって送信された応答情報を受信する。
【００５９】
次に、ステップＳ７において、表示制御部１４１は、表示部１３の表示画面を、第２通信部１２を介してサーバ３と通信中であることを表す通信状況通知画面に切り替える。なお、通信状況通知画面は、記憶部１６に予め記憶されており、表示制御部１４１は、記憶部１６から通信状況通知画面を読み出して表示する。
【００６０】
図７は、本実施の形態における通信状況通知画面の一例を示す図である。
【００６１】
図７に示す通信状況通知画面Ｇ２では、例えば“サーバと通信中しばらくお待ち下さい”というメッセージが表示される。通信状況通知画面Ｇ２は、携帯機器１が第２通信部１２を介してサーバ３と通信中であることを表す画面である。表示制御部１４１は、第２通信部１２によって応答情報がサーバ３へ送信されてからメニュー画面情報が受信されるまでの間、表示画面を近接指示画面Ｇ１から通信状況通知画面Ｇ２に切り替える。通信状況通知画面Ｇ２が表示されることにより、ユーザは、携帯機器１とサーバ３とが現在通信中であることを認識することができ、現在の通信状況を知ることができる。
【００６２】
次に、ステップＳ８において、第２通信制御部１４３は、第１通信部１１によって受信された応答情報をサーバ３へ送信するように第２通信部１２を制御する。第２通信部１２は、第１通信部１１によって受信された応答情報をサーバ３へ送信する。なお、家電機器２によって送信される応答情報には、サーバ３を特定するためのアドレス情報が含まれており、第２通信部１２は、応答情報に含まれるアドレス情報に基づいて応答情報をサーバ３へ送信する。
【００６３】
なお、本実施の形態では、家電機器２によって送信される応答情報にサーバ３を特定するためのアドレス情報が含まれているが、本発明は特にこれに限定されず、携帯機器１がサーバ３を特定するためのアドレス情報を記憶していてもよい。
【００６４】
次に、ステップＳ３１において、サーバ３の通信部３１は、携帯機器１の第２通信部１２によって送信された応答情報を受信する。
【００６５】
次に、ステップＳ３２において、制御部３３は、応答情報に含まれる家電機器特定情報が記憶部３２のデータベースに登録されているか否かを判断する。ここで、家電機器特定情報が記憶部３２のデータベースに登録されていると判断された場合（ステップＳ３２でＹＥＳ）、ステップＳ３７の処理へ移行する。
【００６６】
一方、家電機器特定情報が記憶部３２のデータベースに登録されていないと判断された場合（ステップＳ３２でＮＯ）、ステップＳ３３において、制御部３３は、記憶部３２から、家電機器２をサーバ３に登録してもよいかをユーザに確認するための登録確認画面を読み出す。なお、登録確認画面は、記憶部３２に予め記憶されており、制御部３３は、記憶部３２から登録確認画面を読み出す。
【００６７】
次に、ステップＳ３４において、通信部３１は、登録確認画面を携帯機器１へ送信する。
【００６８】
次に、ステップＳ９において、携帯機器１の第２通信部１２は、サーバ３の通信部３１によって送信された登録確認画面を受信する。
【００６９】
次に、ステップＳ１０において、表示制御部１４１は、第２通信部１２によって受信された登録確認画面を表示するように表示部１３を制御する。表示部１３は、第２通信部１２によって受信された登録確認画面を表示する。登録確認画面には、家電機器２をサーバ３に登録してもよいかをユーザに確認するためのメッセージ、例えば“ユーザ登録してもよいですか”というメッセージが表示される。
【００７０】
次に、ステップＳ１１において、制御部１４は、登録確認が完了したか否かを判断する。このとき、操作部１５は、ユーザによる登録指示を受け付ける。制御部１４は、受け付けられた登録指示に基づいて登録確認が完了したか否かを判断する。ここで、登録確認が完了していないと判断された場合（ステップＳ１１でＮＯ）、登録確認が完了するまでステップＳ１１の判断処理が行われる。
【００７１】
一方、登録確認が完了したと判断された場合（ステップＳ１１でＹＥＳ）、ステップＳ１２において、制御部１４は、第１通信部１１によって受信された応答情報に含まれる家電機器特定情報と、記憶部１６に記憶されている携帯機器特定情報とを対応付けた登録情報を作成する。なお、制御部１４は、携帯機器特定情報だけでなく、携帯機器１のメールアドレス、携帯機器１の電話番号、携帯機器１の所有者の名前、家電機器２を使用するユーザの名前、ユーザのメールアドレス、ユーザの電話番号、ユーザの住所、あるいはＳＩＭ（Ｓｕｂｓｃｒｉｂｅｒ  Ｉｄｅｎｔｉｔｙ  Ｍｏｄｕｌｅ）カードに記憶されている契約者番号などと、家電機器特定情報とを対応付けた登録情報を作成してもよい。
【００７２】
次に、ステップＳ１３において、第２通信制御部１４３は、作成された登録情報をサーバ３に送信するように第２通信部１２を制御する。第２通信部１２は、作成された登録情報をサーバ３に送信する。
【００７３】
次に、ステップＳ３５において、サーバ３の通信部３１は、携帯機器１の第２通信部１２によって送信された登録情報を受信する。
【００７４】
次に、ステップＳ３６において、制御部３３は、携帯機器１によって送信された登録情報を記憶部３２のデータベースに登録する。サーバ３が備えるデータベースには、携帯機器特定情報に家電機器特定情報が対応付けられて記憶されている。携帯機器特定情報は、使用者の特定情報として利用される。したがって、データベースによって、使用者が保有する家電機器のリストが管理されることになる。
【００７５】
また、制御部３３は、ユーザを識別するためのユーザＩＤと、家電機器特定情報とを対応付けて記憶部３２のデータベースに登録してもよい。ユーザＩＤは、ユーザ毎に付与される。制御部３３は、携帯機器１から送信された登録情報に基づいて、既にユーザＩＤが登録されているか否かを判断する。ユーザＩＤが登録されていない場合、制御部３３は、新たにユーザＩＤを付与し、当該ユーザＩＤと家電機器特定情報とを対応付けて記憶する。一方、既にユーザＩＤが登録されている場合、制御部３３は、当該ユーザＩＤに家電機器特定情報を対応付けて記憶する。なお、既にユーザＩＤが付与されている場合は、携帯機器１は、当該ユーザＩＤと家電機器特定情報とを対応付けた登録情報を作成してサーバ３へ送信してもよい。
【００７６】
さらに、制御部３３は、ユーザＩＤと、ユーザの名前、ユーザのメールアドレス、ユーザの電話番号及びユーザの住所などのユーザの個人情報とを対応付けて記憶部３２のデータベースに登録してもよい。ユーザＩＤとユーザの個人情報とを対応付けることにより、メニュー画面上に、家電機器２のエラー情報以外の様々な情報、すなわち、例えば、定期メンテナンスを知らせる情報、登録者の誕生日を祝うメッセージ及び家電機器の登録日から起算して登録者に提供される情報などを表示することができる。家電機器の登録日から起算して登録者に提供される情報としては、例えば空調機器のフィルタの交換時期を提供する情報がある。
【００７７】
なお、本実施の形態では、家電機器２をサーバ３に登録しているが、本発明は特にこれに限定されず、家電機器２をサーバ３に登録しなくてもよい。この場合、ステップＳ３２〜Ｓ３６の処理及びステップＳ９〜Ｓ１３の処理は省略される。
【００７８】
また、家電機器２をサーバ３に登録するか否かのユーザによる選択を受け付け、家電機器２をサーバ３に登録しないことが選択された場合、メニュー画面を表示することなく、処理を終了してもよい。
【００７９】
また、家電機器２をサーバ３に登録するか否かのユーザによる選択を受け付け、家電機器２をサーバ３に登録しないことが選択された場合、メニュー画面に表示される項目を制限してもよい。例えば、家電機器２をサーバ３に登録されていない場合、表示部１３は、家電機器２に関する情報を閲覧するための項目のみをメニュー画面に表示し、家電機器２の設定を入力するための項目についてはメニュー画面に表示しない。
【００８０】
次に、ステップＳ３７において、制御部３３は、応答情報に含まれる家電機器特定情報によって特定される家電機器２に応じたメニュー画面情報を作成する。ここで、制御部３３は、家電機器特定情報によって特定される家電機器２に応じたメニュー画面を記憶部３２から読み出し、応答情報に含まれる家電機器２の状態情報を含むメニュー画面情報を作成する。
【００８１】
次に、ステップＳ３８において、通信部３１は、家電機器２に固有のメニュー画面を表示させるためのメニュー画面情報を携帯機器１へ送信する。
【００８２】
次に、ステップＳ１４において、携帯機器１の第２通信部１２は、サーバ３の通信部３１によって送信されたメニュー画面情報を受信する。
【００８３】
次に、ステップＳ１５において、表示制御部１４１は、第２通信部１２によって受信されたメニュー画面情報を記憶部１６に記憶する。このとき、表示制御部１４１は、サーバ３に登録された家電機器、すなわち、メニュー画面情報が記憶部１６に記憶されている家電機器を登録機器一覧画面に表示するために、記憶部１６に記憶されている登録機器一覧画面を更新する。
【００８４】
なお、本実施の形態では、記憶部１６は、受信したメニュー画面情報を記憶しているが、本発明は特にこれに限定されず、記憶部１６は、受信したメニュー画面情報を記憶しなくてもよい。記憶部１６がメニュー画面情報を記憶しない場合、ステップＳ１５のメニュー画面情報をする処理は省略される。
【００８５】
また、記憶部１６は、家電機器特定情報に対応付けてメニュー画面情報を記憶し、既にメニュー画面情報が記憶されている場合は、受信したメニュー画面情報に更新される。
【００８６】
次に、ステップＳ１６において、表示制御部１４１は、第２通信部１２によって受信されたメニュー画面情報に基づいて表示画面をメニュー画面に切り替える。表示部１３は、第２通信部１２によって受信されたメニュー画面情報に基づいてメニュー画面を表示する。なお、メニュー画面の表示を所望する家電機器が登録済みであると判断された場合（ステップＳ３でＹＥＳ）、ステップＳ１６において、表示制御部１４１は、記憶部１６に記憶されているメニュー画面情報に基づいて表示画面をメニュー画面に切り替える。
【００８７】
メニュー画面が表示されている間、操作部１５は、メニュー画面に表示されている項目のユーザによる選択を受け付け、選択された項目に応じた画面の表示、及び選択された項目に応じた家電機器２の制御が行われる。
【００８８】
図８は、本実施の形態において、家電機器にエラーがない場合におけるメニュー画面の一例を示す図であり、図９は、本実施の形態において、家電機器にエラーがある場合におけるメニュー画面の一例を示す図であり、図１０は、本実施の形態におけるエラー画面の一例を示す図である。
【００８９】
図８及び図９に示すメニュー画面Ｇ３，Ｇ４では、家電機器２の種類を表す種類名２０１、家電機器２の状態を表す状態情報２０２、家電機器２の使用履歴を表示するための使用履歴表示ボタン２０３、家電機器２のサポート情報を表示するためのサポート情報表示ボタン２０４、及び家電機器２の動作を制御するためのコントロール表示ボタン２０５が表示される。図８に示すメニュー画面Ｇ３は、家電機器２にエラーがない場合におけるメニュー画面であり、図９に示すメニュー画面Ｇ４は、家電機器２にエラーがある場合におけるメニュー画面である。
【００９０】
図８に示すように、家電機器２が例えば洗濯機であり、当該洗濯機でエラーが検知されていない場合、メニュー画面Ｇ３において、種類名２０１には、“洗濯機”という文字が表示され、状態情報２０２には、“エラーはありません”というメッセージが表示される。また、使用履歴表示ボタン２０３、サポート情報表示ボタン２０４及びコントロール表示ボタン２０５は、操作部１５を介して選択可能である。使用履歴表示ボタン２０３が選択されると、家電機器２の使用履歴を表す画面が表示され、サポート情報表示ボタン２０４が選択されると、家電機器２をサポートするための情報を表す画面が表示され、コントロール表示ボタン２０５が選択されると、家電機器２の設定を入力するための画面が表示される。
【００９１】
図９に示すように、家電機器２が例えば洗濯機であり、当該洗濯機でエラーが検知された場合、メニュー画面Ｇ４において、状態情報２０２には、“エラーがあります”というメッセージが表示される。このとき、サポート情報表示ボタン２０４が選択されると、図１０に示すサポート情報を表すサポート情報画面Ｇ５が表示される。
【００９２】
図１０に示すサポート情報画面Ｇ５では、“扉が開いたままになっています”というメッセージが表示され、ユーザに対して現在発生しているエラーを通知することができる。また、サポート情報画面Ｇ５には、家電機器２の説明書を表示するための説明書表示ボタン２０６が表示され、説明書表示ボタン２０６が選択されると、家電機器２の説明書を表す説明書画面が表示される。
【００９３】
なお、使用履歴表示ボタン２０３、サポート情報表示ボタン２０４、コントロール表示ボタン２０５及び説明書表示ボタン２０６が選択されることにより切り替わる画面は、メニュー画面情報に含まれるが、本発明は特にこれに限定されず、使用履歴表示ボタン２０３、サポート情報表示ボタン２０４、コントロール表示ボタン２０５及び説明書表示ボタン２０６が選択される毎にサーバ３から取得してもよい。また、メニュー画面Ｇ３，Ｇ４に表示される項目は、図８及び図９に示す項目に限定されず、種々の項目を表示することが可能である。
【００９４】
次に、ステップＳ１７において、制御部１４は、家電機器２を制御するためのメニュー画面を表示部１３に表示するためのアプリケーションを終了するか否かを判断する。このとき、操作部１５は、ユーザによる当該アプリケーションの終了指示を受け付ける。制御部１４は、受け付けられた終了指示に基づいてアプリケーションを終了する。ここで、アプリケーションを終了すると判断された場合（ステップＳ１７でＹＥＳ）、処理を終了する。一方、アプリケーションを終了しないと判断された場合（ステップＳ１７でＮＯ）、ステップＳ１６の処理に戻り、引き続いてメニュー画面が表示される。
【００９５】
このように、携帯機器１と家電機器２とを近接させることをユーザに指示する近接指示画面が表示部に表示され、近接指示画面の指示に従ってユーザが携帯機器１と家電機器２とを近接させることにより、携帯機器１と家電機器２との通信及び携帯機器１とサーバ３との通信が開始され、家電機器２に固有のメニュー画面を表示させるためのメニュー画面情報がサーバ３から受信され、メニュー画面情報に基づいて表示画面がメニュー画面に切り替えられるので、煩雑な入力操作を行うことなく、携帯機器１を介して家電機器２に固有のメニュー画面を容易に表示させることができる。
【００９６】
また、携帯機器１を家電機器２に近接させるので、家電機器２から離れた位置でリモートコントローラにより遠隔操作する場合に比べて、より直感的に家電機器２を操作することができる。
【００９７】
なお、本実施の形態では、通信システムはサーバ３を備えているが、本発明はこれに限定されず、サーバ３の機能を携帯機器１が備えてもよい。すなわち、通信システムは、家電機器２と、家電機器２と通信可能に接続される携帯機器１とを備え、表示制御部１４１は、第１通信部１１によって受信された応答情報に基づいて表示画面を家電機器２に固有のメニュー画面に切り替える。この場合、携帯機器１の記憶部１６は、家電機器２に固有のメニュー画面を表示させるためのメニュー画面情報を家電機器特定情報に対応付けて記憶している。表示制御部１４１は、第１通信部１１によって受信された応答情報に含まれる家電機器特定情報に対応するメニュー画面情報を記憶部１６から読み出し、読み出したメニュー画面情報に基づいて表示画面をメニュー画面に切り替える。
【００９８】
なお、上述した具体的実施形態には以下の構成を有する発明が主に含まれている。
【００９９】
本発明の一局面に係る通信システムは、電気機器と、前記電気機器と通信可能に接続される通信装置とを備え、前記通信装置は、近距離無線通信を利用して電気機器と通信する第１通信部と、前記第１通信部と前記電気機器とが通信するために前記第１通信部と前記電気機器とを近接させることをユーザに指示する近接指示画面と、少なくとも前記電気機器に関する情報を閲覧するための項目又は前記電気機器の設定を入力するための項目を含むメニュー画面とを表示する表示部と、前記表示部に表示する表示画面を前記近接指示画面と前記メニュー画面とのいずれかに切り替える表示制御部とを備え、前記第１通信部は、前記表示部に前記近接指示画面が表示された後、前記電気機器を特定するための電気機器特定情報を要求する要求情報を前記電気機器へ送信するとともに、前記第１通信部と前記電気機器とが通信可能な距離に近接された後、少なくとも前記電気機器特定情報を含む応答情報を前記電気機器から受信し、前記表示制御部は、前記第１通信部によって受信された前記応答情報に基づいて前記表示画面を前記電気機器に固有の前記メニュー画面に切り替え、前記電気機器は、前記電気機器特定情報を記憶する電気機器特定情報記憶部と、前記近距離無線通信を利用して前記通信装置と通信する電気機器通信部と、前記電気機器通信部によって前記通信装置からの前記要求情報が受信された場合、前記電気機器特定情報記憶部から前記電気機器特定情報を読み出し、読み出した前記電気機器特定情報を含む応答情報を前記通信装置へ送信するように前記電気機器通信部を制御する電気機器制御部とを備える。
【０１００】
この構成によれば、通信装置の第１通信部は、近距離無線通信を利用して電気機器と通信する。通信装置の表示部は、第１通信部と電気機器とが通信するために第１通信部と電気機器とを近接させることをユーザに指示する近接指示画面と、少なくとも電気機器に関する情報を閲覧するための項目又は電気機器の設定を入力するための項目を含むメニュー画面とを表示する。通信装置の表示制御部は、表示部に表示する表示画面を近接指示画面とメニュー画面とのいずれかに切り替える。そして、第１通信部によって、表示部に前記近接指示画面が表示された後、電気機器を特定するための電気機器特定情報を要求する要求情報が電気機器へ送信されるとともに、第１通信部と電気機器とが通信可能な距離に近接された後、少なくとも電気機器特定情報を含む応答情報が電気機器から受信される。表示制御部によって、第１通信部により受信された応答情報に基づいて表示画面が電気機器に固有のメニュー画面に切り替えられる。また、電気機器の電気機器特定情報記憶部は、電気機器特定情報を記憶する。電気機器の電気機器通信部は、近距離無線通信を利用して通信装置と通信する。電気機器の電気機器制御部は、電気機器通信部によって通信装置からの要求情報が受信された場合、電気機器特定情報記憶部から電気機器特定情報を読み出し、読み出した電気機器特定情報を含む応答情報を通信装置へ送信するように電気機器通信部を制御する。
【０１０１】
したがって、通信装置と電気機器とを近接させることをユーザに指示する近接指示画面が表示部に表示され、近接指示画面の指示に従ってユーザが通信装置と電気機器とを近接させることにより、通信装置と電気機器との通信が開始され、応答情報に基づいて表示画面が電気機器に固有のメニュー画面に切り替えられるので、煩雑な入力操作を行うことなく、通信装置を介して電気機器に固有のメニュー画面を容易に表示させることができる。
【０１０２】
また、上記の通信システムにおいて、前記第１通信部は、前記表示部に前記近接指示画面が表示されたことに連動して、前記電気機器へ前記要求情報の送信を開始することが好ましい。
【０１０３】
この構成によれば、表示部に近接指示画面が表示されたことに連動して、電気機器へ要求情報の送信が開始されるので、ユーザは要求情報の送信を指示する必要がなく、通信装置と電気機器とを近接させることにより、通信装置と電気機器との通信を開始させることができる。
【０１０４】
また、上記の通信システムにおいて、前記応答情報は、前記電気機器の状態を示す状態情報を含み、前記メニュー画面情報は、前記状態情報を含み、前記表示部は、前記電気機器の状態を示す項目を含む前記メニュー画面を表示することが好ましい。
【０１０５】
この構成によれば、電気機器の状態を示す項目を含むメニュー画面が表示されるので、ユーザに対して電気機器の状態を報知することができる。
【０１０６】
また、上記の通信システムにおいて、前記状態情報は、前記電気機器のエラー情報を含むことが好ましい。
【０１０７】
この構成によれば、電気機器のエラー情報を示す項目を含むメニュー画面が表示されるので、ユーザに対して電気機器のエラー情報を報知することができる。
【０１０８】
また、上記の通信システムにおいて、前記通信装置と通信可能に接続されるサーバをさらに備え、前記通信装置は、ネットワークを利用してサーバと通信する第２通信部をさらに備え、前記第２通信部は、前記第１通信部によって受信された前記応答情報を前記サーバへ送信するとともに、前記電気機器に固有の前記メニュー画面を表示させるためのメニュー画面情報を前記サーバから受信し、前記表示制御部は、前記第２通信部によって受信された前記メニュー画面情報に基づいて前記表示画面を前記メニュー画面に切り替え、前記サーバは、ネットワークを利用して前記通信装置と通信するサーバ通信部と、前記サーバ通信部によって前記通信装置からの前記応答情報が受信された場合、前記応答情報に含まれる前記電気機器特定情報によって特定される電気機器に応じた前記メニュー画面情報を作成し、作成した前記メニュー画面情報を前記通信装置へ送信するように前記サーバ通信部を制御するサーバ制御部とを備えることが好ましい。
【０１０９】
この構成によれば、通信装置の第２通信部は、ネットワークを利用してサーバと通信する。第２通信部によって、第１通信部により受信された応答情報がサーバへ送信されるとともに、電気機器に固有のメニュー画面を表示させるためのメニュー画面情報がサーバから受信される。表示制御部によって、第２通信部により受信されたメニュー画面情報に基づいて表示画面がメニュー画面に切り替えられる。また、サーバのサーバ通信部は、ネットワークを利用して通信装置と通信する。サーバのサーバ制御部は、サーバ通信部によって通信装置からの応答情報が受信された場合、応答情報に含まれる電気機器特定情報によって特定される電気機器に応じたメニュー画面情報を作成し、作成したメニュー画面情報を通信装置へ送信するようにサーバ通信部を制御する。
【０１１０】
したがって、通信装置と電気機器とを近接させることをユーザに指示する近接指示画面が表示部に表示され、近接指示画面の指示に従ってユーザが通信装置と電気機器とを近接させることにより、通信装置と電気機器との通信及び通信装置とサーバとの通信が開始され、電気機器に固有のメニュー画面を表示させるためのメニュー画面情報がサーバから受信され、メニュー画面情報に基づいて表示画面がメニュー画面に切り替えられるので、煩雑な入力操作を行うことなく、通信装置を介して電気機器に固有のメニュー画面を容易に表示させることができる。また、常に最新のメニュー画面情報をサーバから取得することができる。
【０１１１】
また、上記の通信システムにおいて、前記メニュー画面の表示内容は、前記サーバに前記電気機器が登録されているか否かに応じて異なることが好ましい。
【０１１２】
この構成によれば、メニュー画面の表示内容は、サーバに電気機器が登録されているか否かに応じて異なるので、例えば、サーバに電気機器が登録されていない場合にメニュー画面に表示される項目を、サーバに電気機器が登録されている場合にメニュー画面に表示される項目よりも減らすことにより、サーバに電気機器を登録することをユーザに促すことができる。
【０１１３】
また、上記の通信システムにおいて、前記表示部は、前記第２通信部を介して前記サーバと通信中であることを表す通信状況通知画面をさらに表示し、前記表示制御部は、前記第２通信部によって前記応答情報が前記サーバへ送信されてから前記メニュー画面情報が受信されるまでの間、前記表示画面を前記通信状況通知画面に切り替えることが好ましい。
【０１１４】
この構成によれば、通信装置の表示部は、第２通信部を介してサーバと通信中であることを表す通信状況通知画面をさらに表示する。そして、表示制御部によって、第２通信部により応答情報がサーバへ送信されてからメニュー画面情報が受信されるまでの間、表示画面が通信状況通知画面に切り替えられる。
【０１１５】
したがって、第２通信部により応答情報がサーバへ送信されてからメニュー画面情報が受信されるまでの間、サーバと通信中であることを表す通信状況通知画面が表示されるので、通信状況をユーザに報知することができる。
【０１１６】
また、上記の通信システムにおいて、前記通信装置は、前記第２通信部によって受信された前記メニュー画面情報を記憶するメニュー画面情報記憶部をさらに備え、前記表示制御部は、前記メニュー画面情報記憶部に前記メニュー画面情報が記憶されている場合、前記近接指示画面を表示することなく、前記メニュー画面情報記憶部に記憶されている前記メニュー画面情報に基づいて前記表示画面を前記メニュー画面に切り替えることが好ましい。
【０１１７】
この構成によれば、通信装置のメニュー画面情報記憶部は、第２通信部によって受信されたメニュー画面情報を記憶する。そして、表示制御部によって、メニュー画面情報記憶部にメニュー画面情報が記憶されている場合、近接指示画面を表示することなく、メニュー画面情報記憶部に記憶されているメニュー画面情報に基づいて表示画面がメニュー画面に切り替えられる。
【０１１８】
したがって、メニュー画面情報記憶部にメニュー画面情報が記憶されている場合、近接指示画面を表示することなく、メニュー画面情報記憶部に記憶されているメニュー画面情報に基づいてメニュー画面が表示されるので、メニュー画面を表示するまでの時間を短縮することができ、さらに、通信装置と電気機器とを近接させることなくメニュー画面を表示させることができる。
【０１１９】
本発明の他の局面に係る通信装置は、近距離無線通信を利用して電気機器と通信する第１通信部と、前記第１通信部と前記電気機器とが通信するために前記第１通信部と前記電気機器とを近接させることをユーザに指示する近接指示画面と、少なくとも前記電気機器に関する情報を閲覧するための項目又は前記電気機器の設定を入力するための項目を含むメニュー画面とを表示する表示部と、前記表示部に表示する表示画面を前記近接指示画面と前記メニュー画面とのいずれかに切り替える表示制御部とを備え、前記第１通信部は、前記表示部に前記近接指示画面が表示された後、前記電気機器を特定するための電気機器特定情報を要求する要求情報を前記電気機器へ送信するとともに、前記第１通信部と前記電気機器とが通信可能な距離に近接された後、少なくとも前記電気機器特定情報を含む応答情報を前記電気機器から受信し、前記表示制御部は、前記第１通信部によって受信された前記応答情報に基づいて前記表示画面を前記電気機器に固有の前記メニュー画面に切り替える。
【０１２０】
この構成によれば、第１通信部は、近距離無線通信を利用して電気機器と通信する。表示部は、第１通信部と電気機器とが通信するために第１通信部と電気機器とを近接させることをユーザに指示する近接指示画面と、少なくとも電気機器に関する情報を閲覧するための項目又は電気機器の設定を入力するための項目を含むメニュー画面とを表示する。表示制御部は、表示部に表示する表示画面を近接指示画面とメニュー画面とのいずれかに切り替える。そして、第１通信部によって、表示部に近接指示画面が表示された後、電気機器を特定するための電気機器特定情報を要求する要求情報が電気機器へ送信されるとともに、第１通信部と電気機器とが通信可能な距離に近接された後、少なくとも電気機器特定情報を含む応答情報が電気機器から受信される。表示制御部によって、第１通信部によって受信された応答情報に基づいて表示画面が電気機器に固有のメニュー画面に切り替えられる。
【０１２１】
したがって、通信装置と電気機器とを近接させることをユーザに指示する近接指示画面が表示部に表示され、近接指示画面の指示に従ってユーザが通信装置と電気機器とを近接させることにより、通信装置と電気機器との通信が開始され、応答情報に基づいて表示画面が電気機器に固有のメニュー画面に切り替えられるので、煩雑な入力操作を行うことなく、通信装置を介して電気機器に固有のメニュー画面を容易に表示させることができる。
【０１２２】
本発明の他の局面に係る通信方法は、近距離無線通信を利用して電気機器と通信する第１通信部と前記電気機器とが通信するために、前記第１通信部と前記電気機器とを近接させることをユーザに指示する近接指示画面を表示部に表示させる近接指示画面表示ステップと、前記表示部に前記近接指示画面が表示された後、前記電気機器を特定するための電気機器特定情報を要求する要求情報を前記第１通信部によって前記電気機器へ送信する要求情報送信ステップと、前記第１通信部と前記電気機器とが通信可能な距離に近接された後、少なくとも前記電気機器特定情報を含む応答情報を前記第１通信部によって前記電気機器から受信する応答情報受信ステップと、前記応答情報受信ステップにおいて受信された前記応答情報に基づいて、前記表示画面を、少なくとも前記電気機器に関する情報を閲覧するための項目又は前記電気機器の設定を入力するための項目を含む、前記電気機器に固有の前記メニュー画面に切り替える切り替えステップとを含む。
【０１２３】
この構成によれば、近距離無線通信を利用して電気機器と通信する第１通信部と電気機器とが通信するために、第１通信部と電気機器とを近接させることをユーザに指示する近接指示画面が表示部に表示される。次に、表示部に近接指示画面が表示された後、電気機器を特定するための電気機器特定情報を要求する要求情報が第１通信部によって電気機器へ送信される。次に、第１通信部と電気機器とが通信可能な距離に近接された後、少なくとも電気機器特定情報を含む応答情報が第１通信部によって電気機器から受信される。次に、受信された応答情報に基づいて、表示画面が、少なくとも電気機器に関する情報を閲覧するための項目又は電気機器の設定を入力するための項目を含む、電気機器に固有のメニュー画面に切り替えられる。
【０１２４】
したがって、通信装置と電気機器とを近接させることをユーザに指示する近接指示画面が表示部に表示され、近接指示画面の指示に従ってユーザが通信装置と電気機器とを近接させることにより、通信装置と電気機器との通信が開始され、応答情報に基づいて表示画面が電気機器に固有のメニュー画面に切り替えられるので、煩雑な入力操作を行うことなく、通信装置を介して電気機器に固有のメニュー画面を容易に表示させることができる。
【０１２５】
本発明の他の局面に係る通信プログラムは、近距離無線通信を利用して電気機器と通信する第１通信部を制御する第１通信制御部と、表示部に表示する表示画面を、前記第１通信部と前記電気機器とが通信するために前記第１通信部と前記電気機器とを近接させることをユーザに指示する近接指示画面と、少なくとも前記電気機器に関する情報を閲覧するための項目又は前記電気機器の設定を入力するための項目を含むメニュー画面とのいずれかに切り替える表示制御部としてコンピュータを機能させ、前記第１通信制御部は、前記表示部に前記近接指示画面が表示された後、前記電気機器を特定するための電気機器特定情報を要求する要求情報を前記電気機器へ送信するように前記第１通信部を制御するとともに、前記第１通信部と前記電気機器とが通信可能な距離に近接された後、少なくとも前記電気機器特定情報を含む応答情報を前記電気機器から受信するように前記第１通信部を制御し、前記表示制御部は、前記第１通信部によって受信された前記応答情報に基づいて前記表示画面を前記電気機器に固有の前記メニュー画面に切り替える。
【０１２６】
この構成によれば、第１通信制御部は、近距離無線通信を利用して電気機器と通信する第１通信部を制御する。表示制御部は、表示部に表示する表示画面を、第１通信部と電気機器とが通信するために第１通信部と電気機器とを近接させることをユーザに指示する近接指示画面と、少なくとも電気機器に関する情報を閲覧するための項目又は電気機器の設定を入力するための項目を含むメニュー画面とのいずれかに切り替える。そして、表示部に近接指示画面が表示された後、第１通信制御部によって、電気機器を特定するための電気機器特定情報を要求する要求情報を電気機器へ送信するように第１通信部が制御される。また、第１通信部と電気機器とが通信可能な距離に近接された後、第１通信制御部によって、少なくとも電気機器特定情報を含む応答情報を電気機器から受信するように第１通信部が制御される。表示制御部によって、第１通信部により受信された応答情報に基づいて表示画面が電気機器に固有のメニュー画面に切り替えられる。
【０１２７】
したがって、通信装置と電気機器とを近接させることをユーザに指示する近接指示画面が表示部に表示され、近接指示画面の指示に従ってユーザが通信装置と電気機器とを近接させることにより、通信装置と電気機器との通信が開始され、応答情報に基づいて表示画面が電気機器に固有のメニュー画面に切り替えられるので、煩雑な入力操作を行うことなく、通信装置を介して電気機器に固有のメニュー画面を容易に表示させることができる。
【０１２８】
本発明の他の局面に係る電気機器は、電気機器を特定するための電気機器特定情報を記憶する電気機器特定情報記憶部と、近距離無線通信を利用して通信装置と通信する電気機器通信部と、前記通信装置と前記電気機器とが通信可能な距離に近接された後、前記電気機器通信部によって前記通信装置からの前記電気機器特定情報を要求する要求情報が受信された場合、前記電気機器特定情報記憶部から前記電気機器特定情報を読み出し、読み出した前記電気機器特定情報を含む応答情報を前記通信装置へ送信するように前記電気機器通信部を制御する電気機器制御部とを備える。
【０１２９】
この構成によれば、電気機器特定情報記憶部は、電気機器を特定するための電気機器特定情報を記憶する。電気機器通信部は、近距離無線通信を利用して通信装置と通信する。電気機器制御部は、通信装置と電気機器とが通信可能な距離に近接された後、電気機器通信部によって通信装置からの電気機器特定情報を要求する要求情報が受信された場合、電気機器特定情報記憶部から電気機器特定情報を読み出し、読み出した電気機器特定情報を含む応答情報を通信装置へ送信するように電気機器通信部を制御する。
【０１３０】
したがって、ユーザが通信装置と電気機器とを近接させることにより、通信装置と電気機器との通信が開始され、電気機器に固有のメニュー画面を表示させるためのメニュー画面情報に基づいて表示画面がメニュー画面に切り替えられるので、煩雑な入力操作を行うことなく、通信装置を介して電気機器に固有のメニュー画面を容易に表示させることができる。
【０１３１】
なお、発明を実施するための形態の項においてなされた具体的な実施態様または実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０１３２】
本発明に係る通信システム、通信装置、通信方法、通信プログラム及び電気機器は、煩雑な入力操作を行うことなく、通信装置を介して電気機器に固有のメニュー画面を容易に表示させることができ、電気機器と通信する通信装置、通信方法及び通信プログラム、電気機器、並びに電気機器と通信装置とを備える通信システムに有用である。
【図１】
2013035213.tif 000003
【図２】
2013035213.tif 000004
【図３】
2013035213.tif 000005
【図４】
2013035213.tif 000006
【図５】
2013035213.tif 000007
【図６】
2013035213.tif 000008
【図７】
2013035213.tif 000009
【図８】
2013035213.tif 000010
【図９】
2013035213.tif 000011
【図１０】
2013035213.tif 000012
【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
電気機器と、
前記電気機器と通信可能に接続される通信装置とを備え、
前記通信装置は、
近距離無線通信を利用して電気機器と通信する第１通信部と、
前記第１通信部と前記電気機器とが通信するために前記第１通信部と前記電気機器とを近接させることをユーザに指示する近接指示画面と、少なくとも前記電気機器に関する情報を閲覧するための項目又は前記電気機器の設定を入力するための項目を含むメニュー画面とを表示する表示部と、
前記表示部に表示する表示画面を前記近接指示画面と前記メニュー画面とのいずれかに切り替える表示制御部とを備え、
前記第１通信部は、前記表示部に前記近接指示画面が表示された後、前記電気機器を特定するための電気機器特定情報を要求する要求情報を前記電気機器へ送信するとともに、前記第１通信部が前記電気機器に備わるアンテナの位置を示すマークに近接することで通信可能となった後、少なくとも前記電気機器特定情報を含む応答情報を前記電気機器から受信し、
前記表示制御部は、前記第１通信部によって受信された前記応答情報に基づいて前記表示画面を前記電気機器に固有の前記メニュー画面に自動的に切り替え、
前記電気機器は、
前記電気機器特定情報を記憶する電気機器特定情報記憶部と、
前記近距離無線通信を利用して前記通信装置と通信する電気機器通信部と、
前記電気機器通信部によって前記通信装置からの前記要求情報が受信された場合、前記電気機器特定情報記憶部から前記電気機器特定情報を読み出し、読み出した前記電気機器特定情報を含む応答情報を前記通信装置へ送信するように前記電気機器通信部を制御する電気機器制御部とを備えることを特徴とする通信システム。
【請求項２】
前記第１通信部は、前記表示部に前記近接指示画面が表示されたことに連動して、前記電気機器へ前記要求情報の送信を開始することを特徴とする請求項１記載の通信システム。
【請求項３】
前記応答情報は、前記電気機器の状態を示す状態情報を含み、
前記メニュー画面情報は、前記状態情報を含み、
前記表示部は、前記電気機器の状態を示す項目を含む前記メニュー画面を表示することを特徴とする請求項１又は２記載の通信システム。
【請求項４】
前記状態情報は、前記電気機器のエラー情報を含むことを特徴とする請求項３記載の通信システム。
【請求項５】
前記通信装置と通信可能に接続されるサーバをさらに備え、
前記通信装置は、
ネットワークを利用してサーバと通信する第２通信部をさらに備え、
前記第２通信部は、前記第１通信部によって受信された前記応答情報を前記サーバへ送信するとともに、前記電気機器に固有の前記メニュー画面を表示させるためのメニュー画面情報を前記サーバから受信し、
前記表示制御部は、前記第２通信部によって受信された前記メニュー画面情報に基づいて前記表示画面を前記メニュー画面に切り替え、
前記サーバは、
ネットワークを利用して前記通信装置と通信するサーバ通信部と、
前記サーバ通信部によって前記通信装置からの前記応答情報が受信された場合、前記応答情報に含まれる前記電気機器特定情報によって特定される電気機器に応じた前記メニュー画面情報を作成し、作成した前記メニュー画面情報を前記通信装置へ送信するように前記サーバ通信部を制御するサーバ制御部とを備えることを特徴とする請求項１〜４のいずれかに記載の通信システム。
【請求項６】
前記メニュー画面の表示内容は、前記サーバに前記電気機器が登録されているか否かに応じて異なることを特徴とする請求項５記載の通信システム。
【請求項７】
前記表示部は、前記第２通信部を介して前記サーバと通信中であることを表す通信状況通知画面をさらに表示し、
前記表示制御部は、前記第２通信部によって前記応答情報が前記サーバへ送信されてから前記メニュー画面情報が受信されるまでの間、前記表示画面を前記通信状況通知画面に切り替えることを特徴とする請求項５又は６記載の通信システム。
【請求項８】
前記通信装置は、前記第２通信部によって受信された前記メニュー画面情報を記憶するメニュー画面情報記憶部をさらに備え、
前記表示制御部は、前記メニュー画面情報記憶部に前記メニュー画面情報が記憶されている場合、前記近接指示画面を表示することなく、前記メニュー画面情報記憶部に記憶されている前記メニュー画面情報に基づいて前記表示画面を前記メニュー画面に切り替えることを特徴とする請求項５〜７のいずれかに記載の通信システム。
【請求項９】
近距離無線通信を利用して電気機器と通信する第１通信部と、
前記第１通信部と前記電気機器とが通信するために前記第１通信部と前記電気機器とを近接させることをユーザに指示する近接指示画面と、少なくとも前記電気機器に関する情報を閲覧するための項目又は前記電気機器の設定を入力するための項目を含むメニュー画面とを表示する表示部と、
前記表示部に表示する表示画面を前記近接指示画面と前記メニュー画面とのいずれかに切り替える表示制御部とを備え、
前記第１通信部は、前記表示部に前記近接指示画面が表示された後、前記電気機器を特定するための電気機器特定情報を要求する要求情報を前記電気機器へ送信するとともに、前記第１通信部が前記電気機器に備わるアンテナの位置を示すマークに近接することで通信可能となった後、少なくとも前記電気機器特定情報を含む応答情報を前記電気機器から受信し、
前記表示制御部は、前記第１通信部によって受信された前記応答情報に基づいて前記表示画面を前記電気機器に固有の前記メニュー画面に自動的に切り替えることを特徴とする通信装置。
【請求項１０】
近距離無線通信を利用して電気機器と通信する第１通信部と前記電気機器とが通信するために、前記第１通信部と前記電気機器とを近接させることをユーザに指示する近接指示画面を表示部に表示させる近接指示画面表示ステップと、
前記表示部に前記近接指示画面が表示された後、前記電気機器を特定するための電気機器特定情報を要求する要求情報を前記第１通信部によって前記電気機器へ送信する要求情報送信ステップと、
前記第１通信部が前記電気機器に備わるアンテナの位置を示すマークに近接することで通信可能となった後、少なくとも前記電気機器特定情報を含む応答情報を前記第１通信部によって前記電気機器から受信する応答情報受信ステップと、
前記応答情報受信ステップにおいて受信された前記応答情報に基づいて、前記表示画面を、少なくとも前記電気機器に関する情報を閲覧するための項目又は前記電気機器の設定を入力するための項目を含む、前記電気機器に固有のメニュー画面に自動的に切り替える切り替えステップとを含むことを特徴とする通信方法。
【請求項１１】
近距離無線通信を利用して電気機器と通信する第１通信部を制御する第１通信制御部と、
表示部に表示する表示画面を、前記第１通信部と前記電気機器とが通信するために前記第１通信部と前記電気機器とを近接させることをユーザに指示する近接指示画面と、少なくとも前記電気機器に関する情報を閲覧するための項目又は前記電気機器の設定を入力するための項目を含むメニュー画面とのいずれかに切り替える表示制御部としてコンピュータを機能させ、
前記第１通信制御部は、前記表示部に前記近接指示画面が表示された後、前記電気機器を特定するための電気機器特定情報を要求する要求情報を前記電気機器へ送信するように前記第１通信部を制御するとともに、前記第１通信部が前記電気機器に備わるアンテナの位置を示すマークに近接することで通信可能な距離となった後、少なくとも前記電気機器特定情報を含む応答情報を前記電気機器から受信するように前記第１通信部を制御し、
前記表示制御部は、前記第１通信部によって受信された前記応答情報に基づいて前記表示画面を前記電気機器に固有の前記メニュー画面に自動的に切り替えることを特徴とする通信プログラム。
【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
種類の異なる複数の電気機器と、
前記複数の電気機器と通信可能に接続される通信装置とを備え、
前記通信装置は、
近距離無線通信を利用して前記複数の電気機器のそれぞれと通信する第１通信部と、
前記第１通信部と前記複数の電気機器のうちの通信対象となる１の電気機器とが通信するために前記第１通信部と前記電気機器とを近接させることをユーザに指示する近接指示画面と、少なくとも前記電気機器に関する情報を閲覧するための項目又は前記電気機器の設定を入力するための項目を含む前記通信対象となる１の電気機器に固有のメニュー画面とを表示する表示部と、
前記表示部に表示する表示画面を前記近接指示画面と前記メニュー画面とのいずれかに切り替える表示制御部とを備え、
前記第１通信部は、前記表示部に前記近接指示画面が表示された後、前記電気機器を特定するための電気機器特定情報を要求する要求情報を前記電気機器へ送信するとともに、前記第１通信部が前記電気機器に備わるアンテナの位置を示すマークに近接することで通信可能となった後、少なくとも前記電気機器特定情報を含む応答情報を前記電気機器から受信し、
前記表示制御部は、前記第１通信部によって受信された前記応答情報に含まれる前記電気機器特定情報により特定される前記通信対象となる１の電気機器に固有の前記メニュー画面に前記表示画面を自動的に切り替え、
前記複数の電気機器のそれぞれは、
前記電気機器特定情報を記憶する電気機器特定情報記憶部と、
前記近距離無線通信を利用して前記通信装置と通信する電気機器通信部と、
前記電気機器通信部によって前記通信装置からの前記要求情報が受信された場合、前記電気機器特定情報記憶部から前記電気機器特定情報を読み出し、読み出した前記電気機器特定情報を含む応答情報を前記通信装置へ送信するように前記電気機器通信部を制御する電気機器制御部とを備えることを特徴とする通信システム。
【請求項２】
前記第１通信部は、前記表示部に前記近接指示画面が表示されたことに連動して、前記電気機器へ前記要求情報の送信を開始することを特徴とする請求項１記載の通信システム。
【請求項３】
前記応答情報は、前記電気機器の状態を示す状態情報を含み、
前記メニュー画面情報は、前記状態情報を含み、
前記表示部は、前記電気機器の状態を示す項目を含む前記メニュー画面を表示することを特徴とする請求項１又は２記載の通信システム。
【請求項４】
前記状態情報は、前記電気機器のエラー情報を含むことを特徴とする請求項３記載の通信システム。
【請求項５】
前記通信装置と通信可能に接続されるサーバをさらに備え、
前記通信装置は、
ネットワークを利用してサーバと通信する第２通信部をさらに備え、
前記第２通信部は、前記第１通信部によって受信された前記応答情報を前記サーバへ送信するとともに、前記電気機器に固有の前記メニュー画面を表示させるためのメニュー画面情報を前記サーバから受信し、
前記表示制御部は、前記第２通信部によって受信された前記メニュー画面情報に基づいて前記表示画面を前記メニュー画面に切り替え、
前記サーバは、
ネットワークを利用して前記通信装置と通信するサーバ通信部と、
前記サーバ通信部によって前記通信装置からの前記応答情報が受信された場合、前記応答情報に含まれる前記電気機器特定情報によって特定される電気機器に応じた前記メニュー画面情報を作成し、作成した前記メニュー画面情報を前記通信装置へ送信するように前記サーバ通信部を制御するサーバ制御部とを備えることを特徴とする請求項１〜４のいずれかに記載の通信システム。
【請求項６】
前記メニュー画面の表示内容は、前記サーバに前記電気機器が登録されているか否かに応じて異なることを特徴とする請求項５記載の通信システム。
【請求項７】
前記表示部は、前記第２通信部を介して前記サーバと通信中であることを表す通信状況通知画面をさらに表示し、
前記表示制御部は、前記第２通信部によって前記応答情報が前記サーバへ送信されてから前記メニュー画面情報が受信されるまでの間、前記表示画面を前記通信状況通知画面に切り替えることを特徴とする請求項５又は６記載の通信システム。
【請求項８】
前記通信装置は、前記第２通信部によって受信された前記メニュー画面情報を記憶するメニュー画面情報記憶部をさらに備え、
前記表示制御部は、前記メニュー画面情報記憶部に前記メニュー画面情報が記憶されている場合、前記近接指示画面を表示することなく、前記メニュー画面情報記憶部に記憶されている前記メニュー画面情報に基づいて前記表示画面を前記メニュー画面に切り替えることを特徴とする請求項５〜７のいずれかに記載の通信システム。
【請求項９】
前記電気機器を特定するための電気機器特定情報に対応付けて前記電気機器に固有のメニュー画面を記憶するメニュー画面記憶部をさらに備え、
前記表示制御部は、前記第１通信部によって受信された前記応答情報に含まれる前記電気機器特定情報に対応する前記メニュー画面を前記メニュー画面記憶部から読み出し、読み出した前記通信対象となる１の電気機器に固有の前記メニュー画面に前記表示画面を自動的に切り替えることを特徴とする請求項１〜８のいずれかに記載の通信システム。
【請求項１０】
近距離無線通信を利用して、複数の電気機器のそれぞれと通信する第１通信部と、
前記第１通信部と前記複数の電気機器のうちの通信対象となる１の電気機器とが通信するために前記第１通信部と前記電気機器とを近接させることをユーザに指示する近接指示画面と、少なくとも前記電気機器に関する情報を閲覧するための項目又は前記電気機器の設定を入力するための項目を含む前記通信対象となる１の電気機器に固有のメニュー画面とを表示する表示部と、
前記表示部に表示する表示画面を前記近接指示画面と前記メニュー画面とのいずれかに切り替える表示制御部とを備え、
前記第１通信部は、前記表示部に前記近接指示画面が表示された後、前記電気機器を特定するための電気機器特定情報を要求する要求情報を前記電気機器へ送信するとともに、前記第１通信部が前記電気機器に備わるアンテナの位置を示すマークに近接することで通信可能となった後、少なくとも前記電気機器特定情報を含む応答情報を前記電気機器から受信し、
前記表示制御部は、前記第１通信部によって受信された前記応答情報に含まれる前記電気機器特定情報により特定される前記通信対象となる１の電気機器に固有の前記メニュー画面に前記表示画面を自動的に切り替えることを特徴とする通信装置。
【請求項１１】
近距離無線通信を利用して、複数の電気機器のそれぞれと通信する第１通信部と前記複数の電気機器のうちの通信対象となる１の電気機器とが通信するために、前記第１通信部と前記電気機器とを近接させることをユーザに指示する近接指示画面を表示部に表示させる近接指示画面表示ステップと、
前記表示部に前記近接指示画面が表示された後、前記電気機器を特定するための電気機器特定情報を要求する要求情報を前記第１通信部によって前記電気機器へ送信する要求情報送信ステップと、
前記第１通信部が前記電気機器に備わるアンテナの位置を示すマークに近接することで通信可能となった後、少なくとも前記電気機器特定情報を含む応答情報を前記第１通信部によって前記電気機器から受信する応答情報受信ステップと、
前記応答情報受信ステップにおいて受信された前記応答情報に含まれる前記電気機器特定情報により特定される、少なくとも前記電気機器に関する情報を閲覧するための項目又は前記電気機器の設定を入力するための項目を含む、前記複数の電気機器のうちの通信対象となる１の電気機器に固有のメニュー画面に前記表示画面を自動的に切り替える切り替えステップとを含むことを特徴とする通信方法。
【請求項１２】
近距離無線通信を利用して、複数の電気機器のそれぞれと通信する第１通信部を制御する第１通信制御部と、
表示部に表示する表示画面を、前記第１通信部と前記複数の電気機器のうちの通信対象となる１の電気機器とが通信するために前記第１通信部と前記電気機器とを近接させることをユーザに指示する近接指示画面と、少なくとも前記電気機器に関する情報を閲覧するための項目又は前記電気機器の設定を入力するための項目を含む前記通信対象となる１の電気機器に固有のメニュー画面とのいずれかに切り替える表示制御部としてコンピュータを機能させ、
前記第１通信制御部は、前記表示部に前記近接指示画面が表示された後、前記電気機器を特定するための電気機器特定情報を要求する要求情報を前記電気機器へ送信するように前記第１通信部を制御するとともに、前記第１通信部が前記電気機器に備わるアンテナの位置を示すマークに近接することで通信可能な距離となった後、少なくとも前記電気機器特定情報を含む応答情報を前記電気機器から受信するように前記第１通信部を制御し、
前記表示制御部は、前記第１通信部によって受信された前記応答情報に含まれる前記電気機器特定情報により特定される前記通信対象となる１の電気機器に固有の前記メニュー画面に前記表示画面を自動的に切り替えることを特徴とする通信プログラム。
【国際調査報告】
2013035213.tif 000013
2013035213.tif 000014
2013035213.tif 000015
2013035213.tif 000016